(57)【特許請求の範囲】
【請求項１】
害虫から保護すべき作物の枝葉に設置するための設置部と、
前記害虫の天敵となる天敵昆虫の増殖に必要な餌を保持する餌保持部として機能し、前記天敵昆虫が生息する生息部としても機能し、さらに前記天敵昆虫が産卵可能な産卵部としても機能する、直径が５〜５０μｍの単繊維を撚ることで形成された繊維束を複数本束ねた、内部に空間又は空隙を有する紐とし、且つ、前記直径が５〜５０μｍの単繊維の端部分が前記紐の表面から突出している部分を複数有してなる生息部及び産卵部を兼ねる餌保持部と、を備えてなることを特徴とする天敵昆虫増殖装置。
【請求項２】
前記生息部及び産卵部を兼ねる餌保持部が、
直径が５〜５０μｍの単繊維を複数本撚ることで形成された、直径が０．５〜２ｍｍの繊維束を複数本束ねた直径が２〜１０ｍｍの前記紐で紐の束が形成されており、該紐の束を構成している前記紐の表面に餌が付着してなるものである請求項１に記載の天敵昆虫増殖装置。
【請求項３】
前記生息部及び産卵部を兼ねる餌保持部が、
直径が５〜５０μｍの単繊維を複数本撚ることで形成された、直径が０．５〜２ｍｍの繊維束を複数本束ねた直径が２〜１０ｍｍの前記紐で、紐と紐の間に空間又は空隙が保持されるようにして紐の束が形成されており、該紐の束を構成している前記紐の表面に餌を付着させてなるものである請求項１に記載の天敵昆虫増殖装置。
【請求項４】
さらに、前記紐の束が、結束部材によって結束されている請求項２又は３に記載の天敵昆虫増殖装置。
【請求項５】
前記餌が、非植物病原性の、かび胞子である請求項１〜４のいずれか１項に記載の天敵見虫増殖装置。
【請求項６】
前記設置部は、前記餌保持部の担体と連続する短冊状の基材の長手方向のほぼ両端に設けられた凹凸用の切込みを、互いに係合することによって形成される請求項１〜５のいずれか１項に記載の天敵昆虫増殖装置。
【請求項７】
前記天敵昆虫は、カブリダニ類である請求項１〜６のいずれか１項に記載の天敵昆虫増殖装置。
【発明の詳細な説明】
【技術分野】
【０００１】
本発明は、天敵昆虫増殖装置に関する。さらに詳しくは、害虫から保護すべき作物の枝葉に直接容易に設置することが可能で、簡易な構成を有し、害虫の天敵となる天敵昆虫の増殖を効率よく安価に実現することが可能な天敵昆虫増殖装置に関する。
【背景技術】
【０００２】
近年、天敵を中心としたＩＰＭ（総合的病害虫管理）が注目されている。例えば、ミヤコカブリダニ、スワルスキーカブリダニ、ククメリスカブリダニ等の多食性のカブリダニ類は、防除対象の害虫であるハダニ類やアザミウマ類を餌にする天敵昆虫であるが、カブリダニ類が餌とするのは、上述の防除対象害虫であるハダニ類やアザミウマ類だけではなく、サトウダニ、サヤアシニクダニ等の貯穀害虫や、花粉、かびの胞子等も餌とすることはすでに分かっている。しかし、作物や栽培時期によっては、餌となる花粉や微小昆虫も存在しないことがあり、この場合は、天敵昆虫であるカブリダニ類（以下、「天敵カブリダニ」ということがある）は増殖することができなくなる。そこで、植物体上に貯穀害虫を散布して、天敵カブリダニの餌として活用しようとする試みもなされているが、これら貯穀害虫自体が植物体上で定着することが極めて困難であるので、天敵カブリダニはこれらを餌に利用することがむずかしい。
【０００３】
一方、うどん粉病菌の胞子が蔓延している葉上では、天敵カブリダニが非常によく増殖することもわかっている。また、植物葉上にコメヌカを散布すると、常在菌の胞子が繁殖し、天敵カブリダニはこれを餌として利用し、通常の２〜３倍の増殖をする。ただ、うどん粉病菌は植物病原菌であるために、害虫から保護すべき作物に悪影響を与えるため、利用することはできない。また、コメヌカを散布することで繁殖する常在菌は葉上に繁殖し、保護作物の葉を汚染してしまい、光合成を阻害してしまうために、利用することは困難である。
【０００４】
サトウダニやサヤアシニクダニのような代替餌（餌ダニ）と、それらの餌となるフスマや酵母を、紙コップのなかに天敵カブリダニと一緒にいれることで、天敵カブリダニの増殖を促すことが農家によって行われている例があるが、この方法でも天敵カブリダニはある程度の増殖はするが、餌ダニがカップ内に定着しないことから、増殖程度は限られたものとなってしまい、十分な効果を示すまで天敵カブリダニを増殖させることは困難である。これらの問題を解決するために、コーン茎繊維等の細かい毛をもった植物繊維を産卵場所として使う試みも行われているが、植物体を使うためには、その調達が季節に左右されたり、別途そのための栽培をしなければならない等の制約があり、広く普及できる技術とはなっていない（特許文献１参照）。
【先行技術文献】
【特許文献】
【０００５】
【特許文献１】特開２００７−３２５５４１
【発明の概要】
【発明が解決しようとする課題】
【０００６】
本発明は、上述の問題に鑑み、ＩＰＭ（総合的病害虫管理）の見地から、簡便に、天敵カブリダニの餌、産卵場所、成虫の棲家等を提供することによって天敵昆虫の増殖を図ることを目指して、なされたものであり、害虫から保護すべき作物の枝葉に直接容易に設置することが可能で、簡易な構成を有し、害虫の天敵となる天敵昆虫の増殖を効率よく安価に実現することが可能な天敵昆虫増殖装置を提供することを目的とする。
【課題を解決するための手段】
【０００７】
上記目的を達成するため、本発明によれば、以下の天敵昆虫増殖装置が提供される。
【０００８】
［１］害虫から保護すべき作物の枝葉に設置するための設置部と、担体上に前記害虫の天敵となる天敵昆虫の増殖に必要な餌を保持する餌保持部と、を備えた天敵昆虫増殖装置。
【０００９】
［２］前記天敵昆虫が生息することが可能な、内部に空間又は空隙を有する、生息部をさらに備えた前記［１］に記載の天敵昆虫増殖装置。
【００１０】
［３］前記生息部は、前記天敵昆虫が産卵可能な産卵部を有する前記［２］に記載の天敵昆虫増殖装置。
【００１１】
［４］前記餌保持部は、紙又はプラスチック製のシートから構成された担体の上に、前記餌を、粘着剤を介して保持する前記［１］に記載の天敵昆虫増殖装置。
【００１２】
［５］前記餌保持部は、内部に空間又は空隙を有する、紐の束、繊維の塊又は発泡体から構成された担体の上に、前記餌を、粘着剤を介して保持する前記［１］に記載の天敵昆虫増殖装置。
【００１３】
［６］前記餌保持部は、前記生息部としても機能する前記［５］に記載の天敵昆虫増殖装置。
【００１４】
［７］前記餌保持部は、紙又はプラスチック製のシートから構成された担体の上に、前記餌を、粘着剤を介して保持するとともに、前記生息部は、内部に空間又は空隙を有する、紐の束、繊維の塊又は発泡体から構成された担体の上に、前記餌を、粘着剤を介して保持する前記［２］に記載の天敵昆虫増殖装置。
【００１５】
［８］前記産卵部は、内部に空間又は空隙を有する前記紐を構成する、直径が５〜５０μｍの単繊維を、前記複数本の前記紐の表面に林立させたものである前記［３］に記載の天敵昆虫増殖装置。
【００１６】
［９］前記設置部は、前記餌保持部の担体と連続する短冊状の基材の長手方向のほぼ両端に設けられた凹凸用の切込みを、互いに係合することによって形成される前記［１］〜［８］のいずれかに記載の天敵昆虫増殖装置。
【００１７】
［１０］前記天敵昆虫は、カブリダニ類である前記［１］〜［９］のいずれかに記載の天敵昆虫増殖装置。
【００１８】
［１１］前記天敵昆虫の増殖に必要な前記餌は、非植物病原性の、かび胞子である前記［１］〜［１０］のいずれかに記載の天敵昆虫増殖装置。
【発明の効果】
【００１９】
本発明によれば、害虫から保護すべき作物の枝葉に直接容易に設置することが可能で、簡易な構成を有し、害虫の天敵となる天敵昆虫の増殖を効率よく安価に実現することが可能な天敵昆虫増殖装置を提供することができる。
【図面の簡単な説明】
【００２０】
【図１】本発明の第１の実施の形態に係る天敵昆虫増殖装置（餌保持部の担体として紙又はプラスチック製のシートを使用した場合）を模式的に示す平面図である。
【図２Ａ】本発明の第２の実施の形態に係る天敵昆虫増殖装置を模式的に示す説明図である。
【図２Ｂ】本発明の第２の実施の形態に係る天敵昆虫増殖装置（餌保持部（生息部）の担体として発泡体を使用した場合）を模式的に示す説明図である。
【図３】本発明の第３の実施の形態に係る天敵昆虫増殖装置（産卵部を有する場合）を模式的に示す説明図であり、（ａ）〜（ｅ）産卵部の製造過程を示す。
【発明を実施するための形態】
【００２１】
図１〜図３に示すように、本発明の実施の形態に係る天敵昆虫増殖装置１０は、害虫から保護すべき作物の枝葉に設置するための、例えば、凹凸用切込み２１，２２等からなる設置部２０と、例えば、紙又はプラスチック製のシート３１ａから構成された担体３１上に害虫の天敵となる天敵昆虫の増殖に必要な餌３２を保持する餌保持部３０と、を備えており、さらに必要に応じて、天敵昆虫が生息することが可能な、例えば、内部に空間又は空隙４１を有する紐の束（繊維の塊）３１ｂ又は発泡体３１ｃの担体３１からなる生息部４０を備えてなるものであり、さらに必要に応じて、生息部４０は、天敵昆虫が産卵可能な、例えば、単繊維５１を撚って繊維束５２にし、繊維束５２を束ねて紐５３にし、その紐５３を束ねて、餌３２を塗布するとともに、空間又は空隙４１を有するように作製した産卵部５０を有するものである。以下、第１〜第３の実施の形態のそれぞれにおいて、構成要素ごとに詳細に説明する。
【００２２】
［第１の実施の形態に係る天敵昆虫増殖装置］
図１は、本発明の第１の実施の形態に係る天敵昆虫増殖装置１０（餌保持部の担体として紙又はプラスチック製のシートを使用した場合）を模式的に示す平面図である。
【００２３】
（設置部）
本実施の形態の設置部２０は、例えば、紙又はプラスチック製の、短冊状のシート３１ａから構成された担体３１に形成された凸用切込み２１を、環状体を形成するように凹用切込み２２に差し込むことによって構成することができる。このように構成することによって、植物体の枝葉等に直接に吊り下げることができる。
【００２４】
（餌保持部）
本実施の形態の餌保持部３０は、例えば、紙又はプラスチック製のシート３１ａから構成された担体３１の長手方向の半分に粘着剤（図示せず）を塗布し、粘着剤を塗布した部分にかび胞子等の餌３２を塗布することによって構成することができる。この場合、餌３２としてのかび胞子の栄養源として、米ぬか、フスマ、酵母等を一緒に塗布することが好ましい。
【００２５】
本実施の形態に用いられる菌株の選定基準としては、以下の（１）〜（７）を挙げることができる。
（１）カブリダニに影響がないこと
（２）カブリダニが餌として利用し増殖できること
（３）＊植物病原菌でないこと
（４）分生胞子を大量に産生すること
（５）マイコトキシンを産生しないこと
（６）アレルゲンでないこと
（７）日和見感染しないこと
【００２６】
具体的な、かび胞子としては、以下の（１）〜（８）を挙げることができる。
（１）Ａｓｐｅｒｇｉｌｌｕｓ  ｏｒｙｚａｅ  
（２）Ｐｅｎｉｃｉｌｌｉｕｍ  ｇａｌａｕｃｕｍ
（３）Ｔａｌａｎｏｍｙｃｅｓ  ｆｌａｖｕｓ
（４）Ｔｒｉｃｈｏｄｅｒｍａ  ｖｉｒｉｄｅ
（５）Ｍｅｔａｒｈｉｚｉｕｍ  ａｎｉｓｏｐｌｉａｅ
（６）＊Ｂｅａｕｖｅｒｉａ  ｂａｓｓｉａｎａ
（７）Ｖｅｒｔｉｃｉｌｌｉｕｍ  ｌｅｃａｎｉｉ
なお、上記以外でも、上述の選定基準に当てはまるものすべて含まれる。
【００２７】
（生息部）
キュウリ、メロン、ナス、ピーマン等の産卵が葉裏の毛耳部分にでき、葉脈と葉脈の間に生息できる場所がある植物については、天敵に対する餌のみを効率的に供給することのみで、天敵カブリダニを増殖させることできる。従って、本実施の形態においては、生息部４０を設けずに、簡易な構成を有しており、例えば、キュウリ、メロン、ナス、ピーマン等の作物を対象とした場合に有効である。
【００２８】
（産卵部）
上述のように、キュウリ、メロン、ナス、ピーマン等では葉裏の毛耳部分に産卵ができるので、天敵に対する餌のみを効率的に供給することのみで、天敵カブリダニを増殖させることができる。従って、本実施の形態においては、産卵部５０を設けずに、簡易な構成を有しており、例えば、キュウリ、メロン、ナス、ピーマン等の作物を対象とした場合に有効である。
【００２９】
［第２の実施の形態に係る天敵昆虫増殖装置］
図２Ａは、本発明の第２の実施の形態に係る天敵昆虫増殖装置を模式的に示す説明図であり、図２Ｂは、本発明の第２の実施の形態に係る天敵昆虫増殖装置（餌保持部（生息部）の担体として発泡体を使用した場合）を模式的に示す説明図である。
【００３０】
（設置部）
本実施の形態の設置部２０は、例えば、後述する餌保持部３０の一箇所に植物体の主茎や枝に吊るすための紐等を設置することによって構成することができる。このように構成することによって、植物体の主茎や枝に直接吊り下げることができる。
【００３１】
（餌保持部）
図２Ａに示すように、本実施の形態の餌保持部３０は、例えば、太さ１００μｍから２ｍｍ程度の繊維を軽く固めて、内部に空間又は空隙４１を有する担体３１としての紐の束（繊維の塊）３１ｂを形成することによって構成することができる。紐の束（繊維の塊）３１ｂの素材としては特に制限はなく、例えば、生分解性セルロースやポリアクリル等の繊維状のものを挙げることができる。次に、内部に空間又は空隙４１を有する担体３１（紐の束（繊維の塊）３１ｂ）の表面に、餌３２としてのカビ胞子を塗布する。この場合、かび胞子の栄養源として、コメヌカやフスマ、酵母等も一緒に塗布することが好ましい。
【００３２】
なお、図２Ｂには、餌保持部３０として、内部に空間又は空隙４１を有する担体３１（発泡体３１ｃ）の表面に、餌３２としてのカビ胞子を塗布した場合を示す。このような発泡体３１ｃとしては、例えば、発泡ポリプロピレン、発泡ポリエチレン等を挙げることができる。
【００３３】
（生息部）
上述の餌保持部３０の構成が、本実施の形態の生息部４０を兼用する構成となる。すなわち、空間又は空隙４１が天敵カブリダニの生息場所を提供することになる。また、キュウリ、ナス等で、天敵昆虫としての天敵カブリダニに影響の強い化学農薬を散布した時に、その隠れる場所を提供することもできる。
【００３４】
（産卵部）
本実施の形態においては、産卵部５０を特には備えていない。このため、天敵昆虫は、上述の生息部４０と同じ場所に産卵することができる可能性はあるが、効率はあまりよくないので、本実施の形態は、対象作物として、葉裏面に毛耳を持っている、キュウリ、メロン、ナス、ピーマン等に適している。
【００３５】
［第３の実施の形態に係る天敵昆虫増殖装置］
図３は、本発明の第３の実施の形態に係る天敵昆虫増殖装置（産卵部を有する場合）を模式的に示す説明図であり、（ａ）〜（ｅ）産卵部の製造過程を示す。
【００３６】
（設置部）
本実施の形態の設置部２０は、例えば、後述する餌保持部３０（生息部４０及び産卵部５０を兼ねる）の一箇所に、植物体の主茎や枝に吊るすための紐等を設置することによって構成することができる。
【００３７】
（餌保持部）
本実施の形態の餌保持部３０は、例えば、図３（ａ）に示す、直径が５〜５０μｍの単繊維５１を５０〜１００本撚ることで、図３（ｂ）に示す直径が０．５〜２ｍｍの繊維束５２を得、得られた繊維束５２を３〜５本束ねて、図３（ｃ）に示す直径が２〜１０ｍｍで、長さが３〜５ｃｍの紐５３とし、図３（ｄ）に示すように、結束部材５５によって結束して紐の束５４を形成し、紐の束５４の表面に餌３２としてのカビ胞子を付着させる、又は図３（ｄ）に示す場合の代わりに、図３（ｅ）に示すように、紐の束５４の３〜１０本を束ねて紐の束５４の表面に餌３２としてのカビ胞子を付着させることによって作製することができる。図３（ｄ）及び図３（ｅ）に示す場合、紐５３と紐５３の間に空間又は空隙４１が保持されるとともに、湿度が保持されて、生息部４０としても機能する。また、単繊維５１の端部分５６が紐５３の１ｃｍあたり５〜３０存在し、産卵部５０として機能する。
【００３８】
（生息部）
上述のように、紐５３と紐５３の間に空間又は空隙４１が保持されるとともに、湿度が保持されるので、効率的な生息部４０を提供することができる。
【００３９】
（産卵部）
上述のように、単繊維５１の端部分５６が紐５３の１ｃｍあたり５〜３０存在し、単繊維の端部分５６が紐５３の表面から突出している部分に、産卵部５０としての産卵場所を提供することができる。ハウスミカンやオオバでは、このような産卵部５０としての産卵場所を提供しないと、天敵カブリダニは産卵場所がないために増殖することができない。本発明の第２の実施形態にかかわる天敵昆虫増殖装置１０に比べて、より効率的な産卵部５０としての産卵場所を提供することができる。
【００４０】
［天敵昆虫増殖装置の製造方法］
本実施の形態の天敵昆虫増殖装置の製造方法は、餌３２としてのかび胞子を塗布又は付着させる担体３１の製造工程と、餌３２としてのかび胞子の増殖工程と、これらを担体３１の上に塗布又は付着させる工程とを含む。以下さらに具体的に説明する。担体３１の製造は、例えば、図１に示すように、プラスチック又は紙を短冊状に切り抜き、片側に植物の枝等に吊り下げるための凸用切込み２１と凹用切込み２２とを入れることで製造することができる。餌３２は、米やフスマ等を培地として常温下で静置培養を行い、分生胞子を得ることで製造することができる。この餌３２を、餌保持部３０に付着させるためには、まず、餌保持部３０に接着剤を塗布し、フスマ又は米ぬかに酵母等の栄養源を加えたものを付着させる。この上に、さらに、フスマや米ぬかと混合した餌３２としてのかび胞子を付着させることで目的とする天敵昆虫増殖装置を得ることができる。
【実施例】
【００４１】
以下に、本発明の天敵昆虫増殖装置を、実施例を用いてさらに具体的に説明する。なお、本発明は、以下の実施例によって、いかなる制限を受けるものではない。
【００４２】
（実施例１）
ハウスミカンの栽培ハウスにおいて、１０月下旬に加温を開始し、１１月下旬に開花を開始した時期に、スワルスキーカブリダニを１０ａあたり５００００頭放飼にすると同時に、第１の実施の形態に係る天敵昆虫増殖装置（餌３２として、Ａｓｐｅｒｇｉｌｌｕｓ  ｏｒｙｚａｅ  分生胞子を米ぬかと混合して塗布したもの）をミカン樹の枝に一樹あたり４個吊り下げた。第１の実施の形態に係る天敵昆虫増殖装置を吊り下げなかった区を対照区として、１ヶ月後のスワルスキーカブリダニの１００葉あたりの生存数をカウントした。結果を表１に示す。
【００４３】
【表１】
0005960440.tif 000002
【００４４】
（実施例２）
ハウス促成栽培ナスにおいて、３月中旬にスワルスキーカブリダニを、春季のアザミウマ防除のために放飼した。それと同時に第１の実施の形態に係る天敵昆虫増殖装置を１０ａあたり４００枚ナスの枝に吊り下げた。第１の実施の形態に係る天敵昆虫増殖装置を吊り下げなかった区を対照区として、１ヶ月後の１０葉あたりのスワルスキーカブリダニの生存数をカウントした。結果を表２に示す。
【００４５】
【表２】
0005960440.tif 000003
【００４６】
（実施例３）
ハウス促成栽培ナスにおいて、３月中旬にスワルスキーカブリダニを、春季のアザミウマ防除のために放飼した。それと同時に第３の実施の形態に係る天敵昆虫増殖装置を１０ａあたり４００個、ナスの枝に吊り下げた。第３の実施の形態に係る天敵昆虫増殖装置を吊り下げなかった区を対照区として、１ヶ月後の１０葉あたりのスワルスキーカブリダニの生存数をカウントした。結果を表３に示す。
【００４７】
【表３】
0005960440.tif 000004
【００４８】
（実施例４）
ハウスミカンの栽培ハウスにおいて、１０月下旬に加温を開始し、１１月下旬に開始した時期に、スワルスキーカブリダニを１樹あたり１０００頭放飼する。同時に第３の実施の形態に係る天敵昆虫増殖装置を１樹あたり４個、ミカンの枝に吊り下げた。第３の実施の形態に係る天敵昆虫増殖装置を吊り下げなかったものを対照区として供試した。１ヶ月後のスワルスキーカブリダニの１００葉あたりの生存数をカウントした。結果を表４に示す。
【００４９】
【表４】
0005960440.tif 000005
【符号の説明】
【００５０】
１０    天敵昆虫増殖装置
２０    設置部
２１    凸用切り込み
２２    凹用切り込み
３０    餌保持部
３１    担体
３１ａ  シート
３１ｂ  紐の束（繊維の塊）
３１ｃ  発泡体
３２    餌
４０    生息部
４１    空間又は空隙
５０    産卵部
５１    単繊維
５２    繊維束
５３    紐
５４    紐の束
５５    結束部材
５６    単繊維の端部分
【図１】
0005960440.tif 000006
【図２Ａ】
0005960440.tif 000007
【図２Ｂ】
0005960440.tif 000008
【図３】
0005960440.tif 000009